(57)【特許請求の範囲】
【請求項１】
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを備え、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、
上記固定具は、当該固定具の中空穴の下方側の上面において外部から電源を送電する第１配線部を有し、
上記荷重支持具は、上記係止部の先端（後部）側の上面に上記第１配線部と接触する電極部と、
上記電極部に接続され上記荷重支持具内を貫通する第２配線部とを有することを特徴とする物品支持装置。
【請求項２】
上記電極部は、
上記固定具に挿入前は、上記微小寸法小さい四角の直柱状より上面側に突出して形成され、
上記固定具に挿入後は、上記固定具の中空穴の上面に押接され、上記微小寸法小さい四角の直柱状の上面側と略同一面に当接するように形成されていることを特徴とする請求項１に記載の物品支持装置。
【請求項３】
上記係止部は、上記電極部の形成箇所の表面が、絶縁部材にて形成されていることを特徴とする請求項１または請求項２に記載の物品支持装置。
【請求項４】
上記固定具の第１配線部は、上記固定具の中空穴の上面に溝部を形成し、上記溝部内に配設して形成されていることを特徴とする請求項１ないし請求項３のいずれか１項に記載の物品支持装置。
【請求項５】
上記固定具の中空穴の軸と水平線とのなす傾斜角を約２０度に、上記荷重支持具の上記荷重受け部の軸と上記係止部の軸とのなす角度を約１６１度にそれぞれ設定したことを特徴とする請求項１ないし請求項４のいずれか１項に記載の物品支持装置。
【請求項６】
上記荷重受け部は、上記第２配線部に接続されたＬＥＤ照明部を備えたことを特徴とする請求項１ないし請求項５のいずれか１項に記載の物品支持装置。
【請求項７】
上記荷重受け部は、上記第２配線部に接続された電源端子を備えたことを特徴とする請求項１ないし請求項６のいずれか１項に記載の物品支持装置。
【請求項８】
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを有し、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、上記固定具の中空穴の下方側の上面において外部から電源を送電する第１配線部を備えた物品支持装置に係る荷重支持具であり、
上記係止部の先端（後部）側の上面に上記第１配線部と接触する電極部と、
上記電極部に接続され上記荷重支持具内を貫通する第２配線部とを備えたことを特徴とする荷重支持具。
【発明の詳細な説明】
【技術分野】
【０００１】
この発明は、物品を支持するとともに、電源を容易にかつ確実に確保することができる物品支持装置および荷重支持具に関するものである。
【背景技術】
【０００２】
従来の物品支持装置は、垂直な壁板の裏面側にほぼ垂直状態に支持された支柱、この支柱に傾斜状態で固定され、かつ少なくとも上方端が開口する断面四角の直柱状の中空穴を有し、その上方開口端面が垂直に形成され壁板に設けられた挿入口を挿通して上方開口端面と壁板表面とがほぼ同一面となるように取付けられた筒状の固定具、および荷重受け部とこの荷重受け部の後端に所定の傾斜角度をもって連設され固定具の中空穴に挿通可能なようにその断面が中空穴の断面より微小寸法小さい四角の直柱状に形成された係止部とを有する荷重支持具を備えるとともに、係止部を中空穴に挿入したとき係止部の先端（後部）面が固定具に当接しないように、中空穴を貫通形状のものにするか係止部の長さを中空穴の深さ寸法より短いものである（例えば、特許文献１参照）。
【先行技術文献】
【特許文献】
【０００３】
【特許文献１】特許登録第２９１１８３１号公報
【発明の概要】
【発明が解決しようとする課題】
【０００４】
従来の物品支持装置において電源を確保する場合、係止部の先端面に電気的な接点を、固定具の中空穴に底面に外部からの電源を送電する配線部を備え、この接点と配線部とを接触させて外部からの電源を確保することが考えられる。しかしながら、そのためには係止部の先端と固定具が当接する必要があり、荷重支持具の固定具への装着が不安定になり、電源の確保が適切に得られない可能性があるという問題点があった。
【０００５】
この発明は上記のような課題を解決するためになされたものであり、荷重支持具の固定具への装着が安定的となり外部から電源の確保を適切に得ることができる物品支持装置および荷重支持具を提供することを目的とする。
【課題を解決するための手段】
【０００６】
この発明の物品支持装置は、
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを備え、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、
上記固定具は、当該固定具の中空穴の下方側の上面において外部から電源を送電する第１配線部を有し、
上記荷重支持具は、上記係止部の先端（後部）側の上面に上記第１配線部と接触する電極部と、
上記電極部に接続され上記荷重支持具内を貫通する第２配線部とを有するものである。
【０００７】
また、この発明の荷重支持具は、
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを有し、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、上記固定具の中空穴の下方側の上面において外部から電源を送電する第１配線部を備えた物品支持装置に係る荷重支持具であり、
上記係止部の先端（後部）側の上面に上記第１配線部と接触する電極部と、
上記電極部に接続され上記荷重支持具内を貫通する第２配線部とを備えたものである。
【発明の効果】
【０００８】
この発明の物品支持装置は、
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを備え、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、
上記固定具は、当該固定具の中空穴の下方側の上面において外部から電源を送電する第１配線部を有し、
上記荷重支持具は、上記係止部の先端（後部）側の上面に上記第１配線部と接触する電極部と、
上記電極部に接続され上記荷重支持具内を貫通する第２配線部とを有するので、
荷重支持具の固定具への装着が安定的となり外部から電源の確保を適切に得ることができる。
【０００９】
また、この発明の荷重支持具は、
ほぼ垂直状態の支柱に配設する物品支持装置において、
上方端が開口する断面四角の直柱状の中空穴が傾斜状態となるように上記支柱に固定される筒状の固定具と、
荷重受け部および上記荷重受け部の後端に所定の傾斜角度をもって連設され上記固定具の中空穴に挿通可能なようにその断面が上記中空穴の断面より微小寸法小さい四角の直柱状に形成された係止部を有する荷重支持具とを有し、
上記係止部を上記中空穴に挿入したとき上記係止部の先端（後部）面が上記固定具に当接しないように、上記係止部の長さを上記中空穴の深さ寸法より短いものとし、
上記荷重支持具の係止部を上記固定具の中空穴にその上方端から抜き差し可能に直線的に挿入した後、上記荷重支持具の自重により上記係止部の先端（後部）上縁と付け根部（前部）下縁との２個所を上記固定具の中空穴面に接触保持させて上記荷重支持具を上記固定具に対して係止させ、上記固定具の中空穴の下方側の上面において外部から電源を送電する第１配線部を備えた物品支持装置に係る荷重支持具であり、
上記係止部の先端（後部）側の上面に上記第１配線部と接触する電極部と、
上記電極部に接続され上記荷重支持具内を貫通する第２配線部とを備えたので、
荷重支持具の固定具への装着が安定的となり外部から電源の確保を適切に得ることができる。
【図面の簡単な説明】
【００１０】
【図１】この発明の実施の形態１の物品支持装置および荷重支持具の構成を示す図である。
【図２】図１に示した物品支持装置の固定具の構成を示す図である。
【図３】図１に示した物品支持装置の荷重支持具の構成の詳細を示す部分斜視図である。
【図４】図１に示した物品支持装置の固定具の構成を示す図である。
【図５】図４の物品支持装置を建具に設置する工程を示した斜視図である。
【図６】図１に示した物品支持装置の荷重支持具の他の構成を示す図である。
【図７】図１に示した物品支持装置の荷重支持具の他の構成を示す図である。
【図８】図１に示した物品支持装置の荷重支持具の他の構成を示す図である。
【発明を実施するための形態】
【００１１】
実施の形態１．
以下、本願発明の実施の形態について説明する。図１はこの発明の実施の形態１における物品支持装置の固定具および荷重支持具の構成を示す断面図、図２は図１に示した物品支持装置の固定具の構成を示す図、図３は図１に示した物品支持装置の荷重支持具の先端（後部）の構成を示す上面側斜視図および下面側斜視図、図４は図１に示した物品支持装置を建具に設置した状態を示す断面図、図５は図４の物品支持装置を建具に設置する工程を示した斜視図、図６ないし図８は図１に示した物品支持装置の荷重支持具の他の例を説明するための図である。
【００１２】
図において、本願発明の物品支持装置２０は、上方端２が開口する断面四角の直柱状の中空穴３が傾斜状態となるように垂直状態の支柱１に固定穴４０にてビスなどの留め具２４を介して固定される筒状の固定具４と、荷重受け部５および荷重受け部５の後端５ａに所定の傾斜角度をもって連設され固定具４の中空穴３に挿通可能なようにその断面が中空穴３の断面より微小寸法小さい四角の直柱状に形成された係止部６を有する荷重支持具７とにて構成されている。
【００１３】
そして、係止部６は、係止部６を中空穴３に挿入したとき係止部６の先端（後部）面８が固定具４に当接しないように、係止部６の長さを中空穴３の深さ寸法Ｌ１より短い寸法Ｌ２にて形成されている。そして、荷重支持具７の係止部６を固定具４の中空穴３にその上方端２から抜き差し可能に直線的に挿入した後、荷重支持具７の自重により係止部６の先端（後部）上縁９と付け根部（前部）下縁１０との２個所を固定具４の中空穴３面に接触保持させて荷重支持具７を固定具４に対して係止させている。
【００１４】
そして、固定具４は、固定具４の中空穴３の下方側の上面１１において外部から電源を送電する第１配線部１２を有している。また、荷重支持具７は、係止部５の先端（後部）側の上面１３に第１配線部１２と接触する例えばばね体にてなる電極部１４と、電極部１４に接続され荷重支持具７内を貫通するために、荷重支持具７の下面４１に溝部４２を形成し、その溝部４２内に配設された第２配線部１５とを有している（特に、図３（ｂ）参照）。また、係止部６は、電極部１４の形成箇所６０の表面が、絶縁部材となるように、ここでは、この形成箇所６０は例えばプラスチックにて形成し、さらに、上部に開口部６１を形成し、電極部１４はその上部がこの開口部６１から突出するように配設されている（特に、図３（ａ）参照）。この電極部１４は開口部６１から突出するように構成されているが、ばね体などにて形成されているため、荷重支持具７の係止部６が固定具４の中空穴３に挿入された際には、固定具４の中空穴３の上面に押接され、微小寸法小さい四角の直柱状の上面側と略同一面に当接するように形成されている。
【００１５】
そして、固定具４の第１配線部１２は、固定具４の中空穴３の上面に形成された溝部１６内に配設して形成されている。また、固定具４の中空穴３の軸ｈ１と水平線ｈ２とのなす傾斜角θ１を約２０度に、荷重支持具７の荷重受け部の軸ｈ３と係止部６の軸ｈ４とのなす角度θ２を約１６１度にそれぞれ設定されている。また、固定具４には、第１配線部１２に外部から電気を導通するための外部配線１７と、この外部配線１７に電源を供給するための電源端子１８と、これらを固定具４に保持するため固定具４に固定されている保持カバー１９とを備える。
【００１６】
次に、上記のように構成された実施の形態１の物品支持装置２０の設置および使用方法について図５を交えて説明する。支柱１を、その上端を断面コ形の上部ランナ２１に連結し、下端を断面コ型の下部ランナ２２に連結し、垂直に配置する。そして、支柱１に形成された取付け穴２３の所望の位置に固定具４の固定穴４０を留め具２４を介して固定する。この際、固定具４はその上方端２が後端側よりも上方になるようにして、支柱１の任意の高さ位置で水平線に対して図１にて示したように、θ１≒２０度の角度で斜めに取付けてある。尚、固定具４の取付け角度θ１を約２０度に設定すれば、後述の荷重支持具７の挿入作業性および脱落防止効果の両面で最適であることが実験で確認されている。そして、固定具４の上方端２に化粧カバー２５を施してその全面に化粧板２６を設置する。そして、荷重支持具７を固定具４に取付ける際には、その荷重受け部５を水平位置より僅かに持ち上げた状態（図４の状態より僅かに持ち上げた状態）で、係止部６を固定具４の中空穴３に差し込むと、係止部６と中空穴３とが平行状態にあるので、係止部６を僅かの隙間を介して容易に差し込むことができる。
【００１７】
この際、電極部１４は開口部６１の内部に引っ込むため、電極部１４がこの着脱に差し障ることはなく、係止部６を固定具４の中空穴３内に容易に着脱することができる。
また、差し込んだ状態で手を離すと、荷重支持具７はその自重で反時計方向に傾くので、係止部６の先端上縁９および先端下縁９０が固定具４の中空穴３の内面に接触してその状態を保持され、このとき同時に、電極部１４が第１配線部１２に接触した状態で保持される（図４の状態）。また、このような状態となるため、電極部１４と第１配線部１２とは中空穴３の上面側にて接触しており、電気的な接触を確実に得ることができる。また、第１配線部１２は中空穴３の上部に形成されているため、固定具４を設置した状態において、埃など溜まることが防止され、第１配線部１２と電極部１４との接触を安全に行うことができる。
【００１８】
したがって、この状態で支柱１に振動が生じても、あるいは荷重支持具７を水平に抜こうとしても、荷重支持具７は係止部６と中空穴３との摩擦力により抜け落ちることはなく、固定具４に係止されたまま、水平状態に保持される。よって、電極部１４と第１配線部１２との接触も保持される。また、荷重支持具７を外す場合は、荷重支持具７を僅かに持ち上げながら手前に引くことにより、係止部６が中空穴３と平行状態になり、抵抗なく容易に引き抜くことができる。
【００１９】
また、荷重支持具７は、様々な構成が考えられる。その例について以下に説明するがこれら例に限られるものではない。例えば、図６（ａ）に示すように、荷重受け部５において、第２配線部１５がＬＥＤ照明部２７に接続され、このＬＥＤ照明部２７を保持する保持体２８と、保持体２８の下部に透過性を有する透過板２９が配設されて形成されており、ＬＥＤ照明として使用することができる。また、図６（ｂ）に示すように、荷重受け部５全体にＬＥＤ照明を備えるのではなく、その先端側に第２配線部１５に接続されたＬＥＤ照明部３０と、このＬＥＤ照明部３０を保持する保持体３１と、保持体３１の下部に配設された透過性を有する透過板３２とを備えて、ＬＥＤ照明として使用することができる。また、図６（ｃ）に示すように、荷重受け部５において、第２配線部１５がピンジャック部３６に接続されており、ピンジャック部３６にて電源を確保することが可能である。
【００２０】
また、図７（ａ）に示すように、支柱１を平行に２本設置して、固定具４をそれぞれに設置し、荷重支持具７を両固定具４に挿入できるような構成に形成しても良い。また、この荷重支持具７上に硝子板３３を設置しても良い。また、図７（ｂ）に示すように、荷重支持具７の先端から配線３４を用いて接続されたＬＥＤ照明部３５を備え、例えば先に示した硝子板３３の下部にＬＥＤ照明部３５を設置しても良い。また、固定具４の電源端子１８への外部から電源を取得する方法としては、図７（ａ）に示すように、電源端子１８に電源線７０、７１を接続する。そして、化粧板２６の荷重支持具７の形成箇所とは異なる箇所（荷重支持具７の外観において美観を損ねない程度に離れた箇所）に開口部７２を形成し、その部分から外部に電源線７０、７１を送出し、コネクタ７５に接続する。そして、外部にてこのコネクタ７５にＡＣアダプタ７４を接続する。このように開口部７２を荷重支持具７の美観を損ねない箇所に形成すれば、荷重支持具７への電源の確保に対する電源線７０、７１、コネクタ７５およびＡＣアダプタ７４は、荷重支持具７の美観を損ねることなく設置することができる。
【００２１】
また、図８に示すように、荷重受け部５に、モバイル装置３７を充電するための第２配線部１５に接続された充電部３８と、モバイル装置３７を保持するための保持部３９とを備えるように構成しても良い。そして、モバイル装置３７を保持部３９に保持するとともに充電部３８にて充電を行うことができる。
【００２２】
上記のように構成された実施の形態１の物品支持装置によれば、固定具の中空穴の下方側の上面において外部から電源を送電する第１配線部を有し、荷重支持具は、係止部の先端（後部）側の上面に上記第１配線部と接触する電極部と、電極部に接続され上記荷重支持具内を貫通する第２配線部とを備えているため、物品を支持するとともに、電源を容易にかつ確実に確保することができる。また、固定具の第１配線部から外部の電源を送電するため、荷重支持具の形成箇所と異なる箇所から電源を確保することができ、荷重支持具においては、電源の確保の部分を隠す（実際に、外観上見える位置に荷重支持具から見えない位置設置することができるということ）ことができ、美観に優れた物品支持装置および荷重支持具を得ることができる。
【００２３】
また、電極部は、固定具に挿入前は、微小寸法小さい四角の直柱状より上面側に突出して形成され、固定具に挿入後は、固定具の中空穴の上面に押接され、微小寸法小さい四角の直柱状の上面側と略同一面に当接するように形成されているため、電極部は固定具の第１配線部に確実に接することができる。
【００２４】
また、係止部は、電極部の形成箇所の表面が、絶縁部材にて形成されているため、電気的に安全に接続することができる。
【００２５】
また、固定具の第１配線部は、固定具の中空穴の上面に溝部を形成し、溝部内に配設して形成されているため、第１配線部を簡便に設置することができる。
【００２６】
また、固定具の中空穴の軸と水平線とのなす傾斜角を約２０度に、荷重支持具の荷重受け部の軸と上記係止部の軸とのなす角度を約１６１度にそれぞれ設定しているため、固定具に荷重支持具を確実に係止することができるため、電極部と第１配線部との接続を確実に得ることができる。
【００２７】
また、荷重受け部は、第２配線部に接続されたＬＥＤ照明部を備えたので、容易に照明を形成することができる。
【００２８】
また、荷重受け部は、第２配線部に接続された電源端子を備えたので、外部に容易に電源を確保することができる。
【符号の説明】
【００２９】
１  支柱、２  上方端、３  中空穴、４  固定具、５  荷重受け部、５ａ  後端、
６  係止部、７  荷重支持具、８  先端（後部）面、９  先端（後部）上縁、
１０  付け根部（前部）下縁、１１  下方側の上面、１２  第１配線部、
１３  先端（後部）側の上面、１４  電極部、１５  第２配線部、１６  溝部、
１７  外部配線、１８  電源端子、１９  保持カバー、２０  物品支持装置、
２１  上部ランナ、２２  下部ランナ、２３  取付け穴、２４  留め具、
２５  化粧カバー、２６  化粧板、２７  ＬＥＤ照明部、２８  保持体、２９  透過板、３０  ＬＥＤ照明部、３１  保持体、３２  透過板、３３  硝子板、３４  配線、
３５  ＬＥＤ照明部、３６  ピンジャック部、３７  モバイル装置、３８  充電部、
３９  保持部、４０  固定穴、４１  下面、４２  溝部、６０  形成箇所、
６１  開口部。
【図１】
0005280489.tif 000002
【図２】
0005280489.tif 000003
【図３】
0005280489.tif 000004
【図４】
0005280489.tif 000005
【図５】
0005280489.tif 000006
【図６】
0005280489.tif 000007
【図７】
0005280489.tif 000008
【図８】
0005280489.tif 000009